(57)【要約】【課題】ＦＧＴによって付加されたフィルムグレインを活かすと共に、ユーザの嗜好に応じてノイズリダクション機能を選択的に制御することができる映像再生装置を提供する。【解決手段】映像データを入力する映像データ入力手段と、入力した前記映像データをデコードすると共に、映像データに含まれる画像管理情報に基づいて映像データがフィルムグレインが付加されるべき映像データであるか否かを判定し、フィルムグレインが付加されるべき映像データである場合にはデコードする映像データにフィルムグレインを付加する映像デコード手段と、デコードされた前記映像データのノイズを抑圧するノイズリダクション手段と、映像データが、フィルムグレインが付加されるべき映像データであると判定された場合に、ノイズリダクション手段のノイズリダクション機能をオフするノイズリダクション制御手段と、を備えたことを特徴とする。【選択図】  図２
2007235227.tif 000002
【特許請求の範囲】
【請求項１】
映像データを入力する映像データ入力手段と、
入力した前記映像データをデコードすると共に、前記映像データに含まれる画像管理情報に基づいて前記映像データがフィルムグレインが付加されるべき映像データであるか否かを判定し、前記フィルムグレインが付加されるべき映像データである場合にはデコードする前記映像データに前記フィルムグレインを付加する映像デコード手段と、
デコードされた前記映像データのノイズを抑圧するノイズリダクション手段と、
前記映像データが、フィルムグレインが付加されるべき映像データであると判定された場合に、前記ノイズリダクション手段のノイズリダクション機能をオフするノイズリダクション制御手段と、
を備えたことを特徴とする映像再生装置。
【請求項２】
ユーザの選択によって、前記ノイズリダクション機能をオン又はオフに設定するノイズリダクション設定手段をさらに備え、
前記ノイズリダクション制御手段は、
ユーザが前記ノイズリダクション機能をオンに設定している場合には、前記フィルムグレインが付加されるべき映像データであると判定された場合であっても、前記ノイズリダクション機能をオンに設定する、
ことを特徴とする請求項１に記載の映像再生装置。
【請求項３】
ユーザの選択によって、前記ノイズリダクション機能をオン又はオフに設定するノイズリダクション設定手段をさらに備え、
前記映像デコード手段は、
ユーザが前記ノイズリダクション機能をオンに設定している場合には、前記フィルムグレインが付加されるべき映像データであると判定された場合であっても、デコードする前記映像データに前記フィルムグレインを付加しない、
ことを特徴とする請求項１に記載の映像再生装置。
【請求項４】
前記映像デコード手段は、前記映像データがフィルムグレインが付加されるべき映像データであるか否かを前記映像データの一齣毎に判定する、
ことを特徴とする請求項１に記載の映像再生装置。
【請求項５】
前記映像データは、ＩＴＵ−Ｔ  Ｈ．２６４規格に基づく映像データであり、
前記映像デコード手段は、
前記映像データがＳＥＩメッセージを有しており、かつ前記ＳＥＩメッセージに含まれるｐａｙｌｏａｄタイプが“１９”である場合に、前記映像データがフィルムグレインが付加されるべき映像データであると判定する、
ことを特徴とする請求項１に記載の映像再生装置。
【請求項６】
前記映像デコード手段は、第１のマイクロプロセッサによってその機能が実現され、
前記ノイズリダクション制御手段は、第２のマイクロプロセッサによってその機能が実現される、
ことを特徴とする請求項１に記載の映像再生装置。
【請求項７】
映像を表示する映像表示手段をさらに備えたことを特徴とする請求項１に記載の映像再生装置。
【請求項８】
映像データを入力する映像入力ステップと、
入力した前記映像データをデコードすると共に、前記映像データに含まれる画像管理情報に基づいて前記映像データがフィルムグレインが付加されるべき映像データであるか否かを判定し、前記フィルムグレインが付加されるべき映像データである場合にはデコードする前記映像データに前記フィルムグレインを付加する映像デコードステップと、
デコードされた前記映像データのノイズを抑圧するノイズリダクションステップと、
前記映像データが、フィルムグレインが付加されるべき映像データであると判定された場合に、前記ノイズを抑圧するノイズリダクション機能をオフするノイズリダクション制御ステップと、
を備えたことを特徴とする映像再生方法。
【請求項９】
ユーザの選択によって、前記ノイズリダクション機能をオン又はオフに設定するノイズリダクション設定ステップをさらに備え、
前記ノイズリダクション制御ステップは、
ユーザが前記ノイズリダクション機能をオンに設定している場合には、前記フィルムグレインが付加されるべき映像データであると判定された場合であっても、前記ノイズリダクション機能をオンに設定する、
ことを特徴とする請求項８に記載の映像再生方法。
【請求項１０】
ユーザの選択によって、前記ノイズリダクション機能をオン又はオフに設定するノイズリダクション設定ステップをさらに備え、
前記映像デコードステップは、
ユーザが前記ノイズリダクション機能をオンに設定している場合には、前記フィルムグレインが付加されるべき映像データであると判定された場合であっても、デコードする前記映像データに前記フィルムグレインを付加しない、
ことを特徴とする請求項８に記載の映像再生方法。
【請求項１１】
前記映像デコードステップは、前記映像データがフィルムグレインが付加されるべき映像データであるか否かを前記映像データの一齣毎に判定する、
ことを特徴とする請求項８に記載の映像再生方法。
【請求項１２】
前記映像データは、ＩＴＵ−Ｔ  Ｈ．２６４規格に基づく映像データであり、
前記映像デコードステップは、
前記映像データがＳＥＩメッセージを有しており、かつ前記ＳＥＩメッセージに含まれるｐａｙｌｏａｄタイプが“１９”である場合に、前記映像データがフィルムグレインが付加されるべき映像データであると判定する、
ことを特徴とする請求項８に記載の映像再生方法。
【請求項１３】
映像を表示する映像表示ステップをさらに備えたことを特徴とする請求項８に記載の映像再生方法。
【発明の詳細な説明】
【技術分野】
【０００１】
本発明は、映像再生装置、および映像再生方法に係り、特に、映像のノイズリダクション機能を有する映像再生装置、および映像再生方法に関する。
【背景技術】
【０００２】
今日、映像情報の多くはＭＰＥＧ規格やＨ．２６４規格等に基づいてデジタル化されたデジタル映像データとして提供されている。また、デジタル映像データのユーザへの提供の形態も多様化している。例えば、ＤＶＤ等の記録媒体による提供、インターネット等の電気通信回線を介した提供、衛星デジタル放送や地上波デジタル放送による提供、ＣＡＴＶ等の有線系による提供等、種々の形態が存在する。
【０００３】
一方、これらのデジタル映像データを再生する装置、即ち、映像再生装置においても同様に多様化が進んでおり、ＤＶＤプレーヤ、ＴＶ受信装置、パーソナルコンピュータ、ゲーム機、携帯電話等、各種の映像再生装置が存在する。
【０００４】
一般に、これらの映像再生装置はノイズリダクション機能を備えており、映像データに含まれている雑音成分を低減し、高品質の映像をユーザに提供している。
【０００５】
ところで、一口に“高品質の映像”といっても、実は、ユーザの“好み”によってその判断基準はまちまちである。また、映像の内容（コンテンツ）によっても“高品質”に対する判断基準は異なってくる。従って、ノイズリダクション機能の特性、例えばノイズリダクションフィルタの特性を一律に設定しても必ずしも総てのユーザの満足が得られるとは限らない。
【０００６】
そこで、ノイズリダクション機能の特性を映像コンテンツの種類によって切換えようとする技術が提案されている。
【０００７】
例えば、特許文献１が開示する技術は、光ディスクに記録されている管理情報から、その映像コンテンツの種類、例えばフィルムモード（映画モード）やカメラモード（ビデオカメラモード）等を抽出し、フィルムモード（映画モード）の場合にはノイズリダクションフィルタの特性を比較的弱く設定することによって原画像の質を活かすようにする、というものである。
【特許文献１】特開平１１−３３１７７７号公報
【発明の開示】
【発明が解決しようとする課題】
【０００８】
映像データに対するユーザの“好み”を満足させる技術の１つとして、ＦＧＴ（Film  Grain  Technology）と呼ばれる技術が近時開発されている。
【０００９】
映画フィルムには、ビデオカメラで撮像した映像とは異なり、感光素子（ハロゲン化銀粒子）のムラなどによって、細かい粒子が映像上に載っている。この粒子のパターンが１コマ毎に異なっているため、粒子が踊るように変化していく。この映画フィルムの粒子をフィルムグレイン（Film  Grain）と呼んでいる。この粒子感によってビデオカメラとは異なる映画独特の雰囲気が醸し出されるため、フィルムグレインは従来から重要視されている。
【００１０】
ところが、近年、ＭＰＥＧ等の高い圧縮率の画像処理では、このフィルムグレインの細かな部分がノイズリダクションによって除去されてしまう傾向となっている。その結果、映画の質感が出にくいと言われている。
【００１１】
そこで、高い圧縮率を維持しつつ、フィルムグレインの粒子感を保持する技術として開発されたものが上述したＦＧＴである。ＦＧＴでは、エンコード時に映像素材に含まれているフィルムグレインの量や色、強度を検出し、これをデータとして別途保存しておく。そして、再生時（デコード時）にこのデータから適度のフィルムグレインを生成して映像データに付加するというものである。
【００１２】
ところで、上述したように今日の映像再生装置には、ノイズリダクション機能が一般的に設けられている。このため、ＦＧＴによってフィルムグレインを映像に付加したとしても、このノイズリダクション機能によってフィルムグレインが抑圧され、せっかくの粒子感が結局は抑圧されてしまうという問題が生じることになる。
【００１３】
本発明は、上記事情に鑑みてなされたもので、ＦＧＴによって付加されたフィルムグレインを活かすと共に、ユーザの嗜好に応じてノイズリダクション機能を選択的に制御することができる映像再生装置、および映像再生方法を提供することを目的とする。
【課題を解決するための手段】
【００１４】
上記課題を解決するため、本発明に係る映像再生装置は、請求項１に記載したように、映像データを入力する映像データ入力手段と、入力した前記映像データをデコードすると共に、前記映像データに含まれる画像管理情報に基づいて前記映像データがフィルムグレインが付加されるべき映像データであるか否かを判定し、前記フィルムグレインが付加されるべき映像データである場合にはデコードする前記映像データに前記フィルムグレインを付加する映像デコード手段と、デコードされた前記映像データのノイズを抑圧するノイズリダクション手段と、前記映像データが、フィルムグレインが付加されるべき映像データであると判定された場合に、前記ノイズリダクション手段のノイズリダクション機能をオフするノイズリダクション制御手段と、を備えたことを特徴とする。
【００１５】
また、上記課題を解決するため、本発明に係る映像再生方法は、請求項８に記載したように、映像データを入力する映像入力ステップと、入力した前記映像データをデコードすると共に、前記映像データに含まれる画像管理情報に基づいて前記映像データがフィルムグレインが付加されるべき映像データであるか否かを判定し、前記フィルムグレインが付加されるべき映像データである場合にはデコードする前記映像データに前記フィルムグレインを付加する映像デコードステップと、デコードされた前記映像データのノイズを抑圧するノイズリダクションステップと、前記映像データが、フィルムグレインが付加されるべき映像データであると判定された場合に、前記ノイズを抑圧するノイズリダクション機能をオフするノイズリダクション制御ステップと、を備えたことを特徴とする。
【発明の効果】
【００１６】
本発明に係る映像再生装置、および映像再生方法によれば、ＦＧＴによって付加されたフィルムグレインを活かすと共に、ユーザの嗜好に応じてノイズリダクション機能を選択的に制御することができる。
【発明を実施するための最良の形態】
【００１７】
本発明に係る映像再生装置、および映像再生方法の実施形態に付いて、添付図面を参照して説明する。
【００１８】
（１）映像再生装置の構成
図１は、本発明に係る映像再生装置１の各種実施形態の外観例を示す図である。本発明に係る映像再生装置１は、ＭＰＥＧ規格やＨ．２６４規格等に基づいてエンコードされたデジタル映像データを入力し、これをデコードして再生するものであり、種々の形態をとり得る。
【００１９】
例えば、図１（ａ）に示したように、映像再生装置１ａ（第１の実施形態）は、光ディスクやハードディスク等の各種記録媒体を再生する記録媒体再生装置２と、ディスプレイ装置３とを備えて構成することができる。
【００２０】
また、図１（ｂ）に示したように、映像再生装置１ｂ（第２の実施形態）は、衛星デジタル放送や地上波デジタル放送、或いはＣＡＴＶを受信可能なＴＶ受信装置として構成することができる。
【００２１】
さらに、図１（ｃ）に示したように、映像再生装置１ｃ（第３の実施形態）は、インターネットやＬＡＮ等の電気通信回線５に接続されるパーソナルコンピュータ等として構成しても良い。この場合、電気通信回線５は、有線、無線を問わない。
【００２２】
また、映像再生装置１ｄは、図１（ｄ）に示したように、携帯電話等の携帯型情報処理装置として構成してもよい。
【００２３】
図２は、本実施形態に係る映像再生装置１のシステム構成例を示す図である。
【００２４】
映像再生装置１は、ＭＰＥＧ規格やＨ．２６４規格等に基づくデジタル映像データを入力する映像データ入力手段１０、入力したデジタル映像データを音声データと映像データとに分離するデマルチプレクサ２０、分離された音声データをデコードする音声デコード手段３１、デコードされた音声データをアナログ音声信号に変換する音声ＤＡＣ３２を備えている。
【００２５】
また、映像再生装置１は、分離された映像データをデコードする映像デコード手段４０、デコードされた映像データに含まれるノイズを抑圧するノイズリダクション手段５０、映像データをアナログ映像信号に変換する映像ＤＡＣを備えている。
【００２６】
映像デコード手段４０は、デマルチプレクサ２０で分離された映像データをデコード（復号）すると共に、ＦＧＴ判定処理やフィルムグレイン付加処理（いずれも後述する）を行っている。ＦＧＴ判定処理はＦＧＴ判定部４１で行っており、フィルムグレイン付加処理はフィルムグレイン付加部４２で行っている。
【００２７】
さらに、映像再生装置１は、映像再生装置１の全体の制御を行う他、ノイズリダクションに関する設定（ノイズリダクション設定手段６２）やノイズリダクションに関する制御（ノイズリダクション制御手段６１）を行うＭＰＵ（Micro  Processor  Unit）６０を備えている。
【００２８】
ここで、映像データ入力手段１０は、映像データを外部から入力することができる種々の手段を包含するものであり、各種の形態をとり得る。例えば、従来型ＤＶＤやＨＤ  ＤＶＤ等の光ディスクを再生する光ディスク再生装置１１は、本実施形態における映像データ入力手段１０の１つである。
【００２９】
また、同様に、映像データを記録・再生するＨＤＤ（Hard  Disk  Drive）１２も本実施形態における映像データ入力手段１０の１つである。
【００３０】
地上波デジタル放送や衛星デジタル放送を受信するデジタル放送受信装置１３も、本実施形態における映像データ入力手段１０の１つとなりうる。
【００３１】
さらに、無線ネットワークインタフェース１４や、有線ネットワークインタフェース１５も本実施形態における映像データ入力手段１０の１つである。無線ネットワークとしては、例えば、無線ＬＡＮ、Bluetooth（登録商標）、ＵＷＢ（Ultra  Wide  Band）の他、携帯電話回線のような公衆無線通信回線を含むものである。また、有線ネットワーク回線としては、有線ＬＡＮ、インターネット、ＣＡＴＶ網等を含むものである。
【００３２】
モニタ装置７０は、アナログ信号に変換された音声信号を出力し、映像信号を表示するものであるが、音声ＤＡＣ３２、映像ＤＡＣ５１を内蔵する形態でも良い。また、モニタ装置７０を別構成とする形態（映像再生装置１の構成にモニタ装置７０を含まない形態）であってもよい。
【００３３】
（２）動作（映像再生方法）
上記のように構成された映像再生装置１の動作、特にＦＧＴが適用される映像データの再生動作について説明する。
【００３４】
図３は、ＦＧＴ（Film  Grain  Technology）が適用されている映像データの再生処理に関する映像再生装置１の動作の一例を示す全体フローチャートである。
【００３５】
まず、ステップＳＴ１で、映像データの入力処理を行う。この入力処理は映像データ入力手段１０で行う。
【００３６】
次に、ステップＳＴ２で、デマルチプレクシング処理を行い、音声データと映像データとを分離する。この処理は、デマルチプレクサ２０で行う。
【００３７】
分離された映像データは、所定のＭＰＥＧ規格やＨ．２６４規格等に基づいてコード化（圧縮処理等）されているデータである。そこで、ステップＳＴ３でデコード処理を行い、所定の画像データを復元する。
【００３８】
さらに、本実施形態に係る映像再生装置１では、ＦＧＴ判定処理（ステップＳＴ４）、およびノイズリダクション制御（ステップＳＴ５）を行っている。これらの処理についてさらに詳細に説明する。
【００３９】
近時、ＦＧＴ（Film  Grain  Technology）と呼ばれる技術が映像データに適用されるようになってきている。
【００４０】
前述したように、映画用のフィルムには、ビデオカメラで撮像した映像とは異なり、感光素子（ハロゲン化銀粒子）のムラなどによって、細かい粒子が映像上に載っている。この粒子感によってビデオカメラとは異なる映画独特の雰囲気が醸し出される。この映画フィルム独特の粒子をフィルムグレイン（Film  Grain）と呼んでおり、従来から映画愛好家や映画製作者の間では重要視されている。
【００４１】
一方、近時のＭＰＥＧ等の高い圧縮率の画像処理では、このフィルムグレインの細かな部分がノイズリダクションによって除去されてしまう傾向となっている。その結果、映画の質感が出にくいと言われている。
【００４２】
そこで、高い圧縮率を維持しつつ、フィルムグレインの粒子感を保持する技術として開発されたものが上述したＦＧＴである。ＦＧＴでは、エンコード時に映像素材に含まれているフィルムグレインの量や色、強度を検出し、これをデータとして別途保存しておく。そして、再生時（デコード時）にこのデータから適度のフィルムグレインを生成して映像データに付加するというものである。
【００４３】
ＦＧＴは総ての映像データに適用されているものではなく、一部の規格の映像データに適用されているものである。このため、再生する映像データにＦＧＴが適用されているか否かを判別する必要がある。
【００４４】
一般に、映像データには、一齣一齣の画像を表す画像データと、各画像データの属性等を示す画像管理情報とが含まれている。そこで、この画像管理情報の中にＦＧＴ適用の有無を示す情報を含ませることで、再生する映像データがＦＧＴ適用のものか否かを判定可能としている。
【００４５】
現在、ＦＧＴが適用されている映像データ規格として、ＩＴＵ−Ｔ  Ｈ．２６４規格がある。Ｈ．２６４規格は、ＭＰＥＧ４  ＡＶＣ（Advanced  Video  Coding）と呼ばれることもあり、さらに、これら２つの名称を併せて、“Ｈ．２６４／ＡＶＣ”規格と称することもある。
【００４６】
図４は、ＦＧＴが適用されるＨ．２６４／ＡＶＣ規格の映像データ構造の一例を模式的に示したものである。映像データは、大きくは画像管理情報と画像データとに分類される。
【００４７】
画像管理情報には、映像データの規格の種別に関する情報（例えば、Ｈ．２６４／ＡＶＣ規格や、ＭＰＥＧ２、ＭＰＥＧ４等）が含まれている。
【００４８】
さらに、Ｈ．２６４／ＡＶＣ規格の場合には、ＳＥＩ（Supplemental  Enhancement  information）と呼ばれるメッセージが含まれるものがある。
【００４９】
Ｈ．２６４／ＡＶＣ規格では、このＳＥＩメッセージに含まれている“Payload  Type”と呼ばれるデータが“１９”であるときに、 映像データにＦＧＴが適用されている旨が規定されている。
【００５０】
さらに、ＳＥＩメッセージには、“film_grain_characteristics_cancel_flag”と呼ばれるフラグ（以下、単にＦＧＴキャンセルフラグという場合がある）。一連の画像データの全体（例えば、ある映画全体）にＦＧＴが適用され、フィルムグレインが付加されている場合であっても、さらにその中の特定の部分についてはフィルムグレインを付加させたくない場合もある。ＦＧＴキャンセルフラグは、このような場合に利用されるもので、画像の一齣単位でのフィルムグレインの付加の有無を制御可能とするものである。
【００５１】
図５は、再生する映像データにＦＧＴが適用されているか否を判定する処理（ＦＧＴ判定処理）の一例を示す細部フローチャートであり、この判定処理には上述した画像管理情報を用いている。
【００５２】
まず、ステップＳＴ４０で、再生する映像データが、Ｈ．２６４／ＡＶＣ規格に基づくものか否かを判定する。現時点では、Ｈ．２６４／ＡＶＣ規格だけがＦＧＴを採用しており、その他の規格、例えばＭＰＥＧ２やＶＣ１等ではＦＧＴは採用されていない。そこで、映像データがＨ．２６４／ＡＶＣ規格に基づくものではない場合は（ステップＳＴ４０のＮｏ）、“ＦＧＴ無し”と判定する（ステップＳＴ４６）。
【００５３】
映像データがＨ．２６４／ＡＶＣ規格に基づく場合は、画像管理情報にＳＥＩメッセージが含まれているか否かをさらに判定する（ステップＳＴ４１）。
【００５４】
Ｈ．２６４／ＡＶＣ規格に基づく総ての映像データにＳＥＩメッセージが含まれているわけではない。例えば、ＨＤ  ＤＶＤ規格の光ディスクであれば必ずＳＥＩメッセージが含まれるが、ＨＤ  ＤＶＤ規格以外の光ディスクにはＳＥＩメッセージが存在するとは限らない。そこで、Ｈ．２６４／ＡＶＣ規格の映像データであっても、ＳＥＩメッセージの有無の判定をさらに行っている。
【００５５】
ＳＥＩメッセージが存在しない場合は、ＦＧＴは適用されていない映像データであるため、“ＦＧＴ無し”と判定する。
【００５６】
ＳＥＩメッセージが存在した場合は、引き続きＳＥＩメッセージの中の、“Payload  Type”と呼ばれるデータの中身をモニタする。Ｈ．２６４／ＡＶＣ規格では、“Payload  Type”“１９”であるときに、 映像データにＦＧＴが適用されている旨が規定されている。従って、ＳＥＩメッセージが存在したとしても、その内容の “Payload  Type”が“１９”でない場合には、“ＦＧＴ無し”と判定する。
【００５７】
前述したように、ＦＧＴによるフィルムグレインの付加は、画像の一齣単位で設定可能であり、この設定は“film_grain_characteristics_cancel_flag”により行っている。そこで、ステップＳＴ４３では、このＦＧＴキャンセルフラグをＳＥＩメッセージから取得し、ＦＧＴキャンセルフラグが“１”の場合は、“ＦＧＴ無し”と判定する。
【００５８】
一方、ＦＧＴキャンセルフラグが“０”の場合は、“フィルムグレインの付加をキャンセルしない”ことを意味しており、最終的に“ＦＧＴ有り”と判定する（ステップＳＴ４５）。
【００５９】
“ＦＧＴ有り”と判定されると、映像デコード手段４０のフィルムグレイン付加部４２において、フィルムグレインが画像データに付加され、粒子感のある映像が映像デコード手段４０から出力される。
【００６０】
他方、映像再生装置１は、ノイズを抑圧するためにノイズリダクション手段５０を有している。ノイズリダクション手段５０は、ＤＮＲ（Digital  Noise  Reducer）ということも有り、ノイズリダクション手段５０のノイズ抑圧機能をオンすることを、以下“ＤＮＲオン”（或いはノイズリダクションオン）といい、ノイズ抑圧機能をオフすることを “ＤＮＲオフ”（或いはノイズリダクションオフ）というものとする。
【００６１】
ＦＧＴが適用されている画像データに対して、“ＤＮＲオン”に設定すると、折角ＦＧＴによって付加したフィルムグレインがノイズとして抑圧されてしまい、フィルムグレインの効果が低減されてしまうことになる。そこで、“ＦＧＴ有り”の場合には、“ＤＮＲオフ”と設定するようなノイズリダクション制御が好ましい。
【００６２】
他方、“ＤＮＲオン”や“ＤＮＲオフ”は、画質に対するユーザの嗜好の問題であるとする考え方もある。
【００６３】
そこで、ノイズリダクション制御（図３のステップＳＴ５）では、ＦＧＴによって付加されたフィルムグレインを活かすと共に、ユーザの嗜好に応じてノイズリダクション機能を選択的に制御できるようにしている。
【００６４】
図６は、ノイズリダクション制御処理の例を示す細部フローチャートである。このノイズリダクション制御処理では、ＤＮＲモード（ノイズリダクション機能に関するモード）がユーザによって予め設定されているものとしている。
【００６５】
図７は、ＤＮＲモードの設定状況を概念的に説明する図である。ＤＮＲモードは、例えば、ノイズリダクション機能を常に強制的にオンとする「ＤＮＲオンモード」、ノイズリダクション機能を常に強制的にオフとする「ＤＮＲオフモード」、およびノイズリダクション機能のオン、オフをＦＧＴの有無にスレーブさせて設定する「ＦＧＴスレーブモード」を備えている。
【００６６】
これら３つのＤＮＲモードを、例えば、リモコン装置６を使用して映像再生装置１のディスプレイ装置３等に表示させ、リモコン装置６によってユーザに選択させ、いずれかのＤＮＲモードを設定すればよい。なお、このＤＮＲモードの設定処理は、ノイズリダクション設定手段６２としてのリモコン装置６や、ＭＰＵ６０のよる制御によって行われる。
【００６７】
図６のステップＳＴ５０では、ユーザによって「ＤＮＲオンモード」が選択されているか否かを判定する。「ＤＮＲオンモード」が選択されている場合には、ステップＳＴ５１へ進み、ノイズリダクション手段５０に対して“ＤＮＲオン”となるように指令する。
【００６８】
この場合、ＦＧＴの有無に関わらずユーザの選択が優先されて、ノイズリダクション機能はオンに設定される。
【００６９】
一方、ステップＳＴ５２では、ユーザによって「ＤＮＲオフモード」が選択されているか否かを判定する。「ＤＮＲオフモード」が選択されている場合には、ステップＳＴ５４へ進み、ノイズリダクション手段５０に対して“ＤＮＲオフ”となるように指令する。
【００７０】
この場合にも、ＦＧＴの有無に関わらずユーザの選択が優先されて、ノイズリダクション機能はオフに設定される。
【００７１】
他方、ユーザによって「ＦＧＴスレーブモード」が選択されている場合（ステップＳＴ５２のＮｏ）には、ＦＧＴの有無に応じてＤＮＲのオン、オフが決定される。即ち、“ＦＧＴ有り”の場合（ステップＳＴ５３のＹｅｓ）には、ノイズリダクション手段５０に対して“ＤＮＲオフ”となるように指令し、フィルムグレインの粒子感が損なわれないようにする。一方、“ＦＧＴ無し”の場合（ステップＳＴ５３のＮｏ）には、ノイズリダクション手段５０に対して“ＤＮＲオン”となるように指令し、通常画像と同様にノイズ抑圧処理を行う。
【００７２】
上述したように、本実施形態に係る映像再生装置１、および映像再生方法によれば、ＦＧＴによって付加されたフィルムグレインを活かすと共に、ユーザの嗜好に応じてノイズリダクション機能を選択的に制御することができる。
【００７３】
（３）その他の実施形態
上述した実施形態は、ユーザが選択したＤＮＲモードに応じて、ノイズリダクション機能のオン、オフを制御する形態である。
【００７４】
さらに、ユーザが選択したＤＮＲモードに応じて、画像データに対するフィルムグレインの付加を制御する機能を加えても良い。即ち、ユーザによって「ＤＮＲオンモード」が選択されている場合には、ノイズの少ない画像をユーザが所望していると判断し、“ＦＧＴ有り”の場合であっても、強制的に“フィルムグレインを付加しない”とする制御信号をノイズリダクション制御手段６１からフィルムグレイン付加部４２に対して出力する形態である。
【００７５】
この形態は、単にＦＧＴによるフィルムグレインを抑圧するだけでなく、根元でフィルムグレインを付加しない形態であり、確実にノイズ（フィルムグレイン）の少ない画像を提供することができる。
【００７６】
なお、図２に示したシステム構成を、実際の金物（ハードウェア）で実現する場合には種々の形態が可能である。
【００７７】
例えば、映像デコード手段４０をマイクロプロセッサ（第１のマイクロプロセッサ）で実現し、ノイズリダクション制御手段６１、およびノイズリダクション設定手段６２をＭＰＵ６０（第２のマイクロプロセッサ）で実現してもよい。
【００７８】
また、ノイズリダクション制御手段６１を映像デコード手段４０のマイクロプロセッサ（第１のマイクロプロセッサ）で実現する構成としても良い。この場合、ノイズリダクション手段５０に対するノイズリダクションオン／オフの制御信号は、映像デコード手段４０から直接出力されることになる。
【００７９】
この他、デマルチプレクサ２０、映像デコード手段４０、音声デコード手段３１、ノイズリダクション手段５０、音声ＤＡＣ３２、および映像ＤＡＣを１チップのシステムＬＳＩとして構成する形態でもよい。さらに、このシステムＬＳＩにＭＰＵ６０を含めた形態としても良い。
【００８０】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００８１】
【図１】本発明に係る映像再生装置の各種実施形態の外観例を示す図。
【図２】本発明に係る映像再生装置の一実施形態のシステム構成例を示す図。
【図３】本発明に係る映像再生方法の一実施形態に係る処理の一例を示す全体フローチャート。
【図４】ＦＧＴが適用される映像データにおける画像管理情報の内容を模式的に説明する図。
【図５】本発明に係る映像再生方法の一実施形態に係るＦＧＴ判定処理の一例を示す細部フローチャート。
【図６】本発明に係る映像再生方法の一実施形態に係るノイズリダクション制御処理の一例を示す細部フローチャート。
【図７】ユーザによるＤＮＲモードの選択方法を概念的に示す図。
【符号の説明】
【００８２】
１、１ａ、１ｂ、１ｃ、１ｄ  映像再生装置
２  記録媒体再生装置
３  ディスプレイ装置
５  電気通信回線
１０  映像データ入力手段
２０  デマルチプレクサ
３１  音声デコード手段
３２  音声ＤＡＣ
４０  映像デコード手段
４１  ＦＧＴ判定部４１
４２  フィルムグレイン付加部
５０  ノイズリダクション手段
５１  映像ＤＡＣ
６０  ＭＰＵ
６１  ノイズリダクション制御手段
６２  ノイズリダクション設定手段
【図１】
2007235227.tif 000003
【図２】
2007235227.tif 000004
【図３】
2007235227.tif 000005
【図４】
2007235227.tif 000006
【図５】
2007235227.tif 000007
【図６】
2007235227.tif 000008
【図７】
2007235227.tif 000009